(57)【特許請求の範囲】
【請求項１】
携帯端末機のバッテリー残量を確認する装置であって、
前記携帯端末機の電源オフ状態の間に要請に応じてバッテリー残量をチェックするためのバッテリーチェック部と、
前記バッテリー残量を確認し表示するための制御部と、
を有し、
前記バッテリー残量を表示する間にブーティングが選択されることに応じて、前記制御部は、前記携帯端末機のブーティングモードへの転換を制御することを特徴とする装置。
【請求項２】
前記バッテリー残量を表示するための表示部をさらに有することを特徴とする請求項１に記載の装置。
【請求項３】
前記携帯端末機の電源オフ状態の間に所定のキーが入力されると、前記制御部は、前記携帯端末機のバッテリー残量表示モードへの転換を制御し、前記バッテリーチェック部だけの活性化を制御することを特徴とする請求項１に記載の装置。
【請求項４】
前記バッテリー残量を表示する間に終了操作が選択されたことに応じて、前記制御部は、前記携帯端末機の電源をオフすることを特徴とする請求項１に記載の装置。
【請求項５】
携帯端末機のバッテリー残量を確認する方法であって、
前記携帯端末機の電源オフ状態の間に所定のキーが入力されると、バッテリー残量表示モードに転換するステップと、
前記バッテリー残量表示モードの間にバッテリー残量を確認し表示するステップと、を有し、
前記バッテリー残量を表示する間にブーティングが選択されると、前記携帯端末機をブーティングモードに転換するステップをさらに有することを特徴とする方法。
【請求項６】
前記バッテリー残量を表示する間に終了が選択されると、前記携帯端末機の電源をオフするステップをさらに有することを特徴とする請求項５に記載の方法。
【発明の詳細な説明】
【技術分野】
【０００１】
本発明は、携帯端末機のバッテリー残量を確認する装置及び方法に関し、特に、携帯端末機が電源オフ状態である場合に携帯端末機のバッテリー残量を確認する装置及び方法に関する。
【背景技術】
【０００２】
スマートフォンを含む携帯端末機で最も困難な問題は、限定されたバッテリー容量であるために、動作時間が限定されることである。
そのため、ユーザにおいては、端末に残っている電力をチェックする必要性がますます高くなっている。バッテリー電力が不足して困難な状況に陥らないためには、いつでもバッテリー残量を確認できなければならない。
【０００３】
一般的に、携帯端末機が電源オン状態にある場合に、携帯端末機に残っているバッテリーの容量は、表示部上に表示されるバッテリーバーによって確認することができる。
携帯端末機が電源オフ状態にある場合に、ユーザは、携帯端末機が充電器又はユニバーサルシリアルバス（ＵＳＢ）ケーブルに接続することにより充電モードに遷移し、残っているバッテリー残量をバッテリーアイコンから読み出すことができる。
携帯端末機が電源オフ状態にある間に、ユーザは、充電器又はＵＳＢケーブルがない場合に、携帯端末機をブーティングさせることにより電源オン状態となった後にバッテリー残量を確認することができる。
【０００４】
ユーザは、充電器又はＵＳＢケーブルがない時に、電源オフ状態である携帯端末機でバッテリー残量を確認するためには、携帯端末機の電源をオンさせた後に数十秒又は数分のブーティング時間を待機しなければならない。
ユーザが放電されたバッテリーを他のバッテリーに置き換えることを希望する場合に、既存のバッテリー残量を置き換えられたバッテリー残量と比較するためには、置き換えられたバッテリーで携帯端末機をブーティングしなければならない。
【０００５】
また、複数のバッテリーを有する場合に、ユーザは、最も多い残量を有するバッテリーを選択するために個々のバッテリーで携帯端末機をブーティングしなければならない。
ユーザが不必要なバッテリー消費を防ぐために携帯端末機の電源をオフさせる場合に、バッテリー残量を確認するための携帯端末機のブーティングは、不必要なバッテリー消費の原因となる。さらに、携帯端末機の電源を入れることが容易にできない場合には、バッテリー残量を確認する方法がない。
【先行技術文献】
【特許文献】
【０００６】
【特許文献１】米国公開特許２００４／０２１５４０８号明細書
【特許文献２】米国公開特許２０１０／０２１８０２１号明細書
【発明の概要】
【発明が解決しようとする課題】
【０００７】
本発明は、上記従来技術の問題点に鑑みてなされたものであって、本発明の目的は、携帯端末機が電源オフ状態にある時に携帯端末機のバッテリー残量を確認するための装置及び方法を提供することにある。
また、本発明の目的は、携帯端末機をブーティングさせることなく携帯端末機のバッテリー残量を確認するための装置及び方法を提供することにある。
また、本発明の目的は、充電器又はユニバーサルシリアルバス（ＵＳＢ）ケーブルを携帯端末機に接続させず携帯端末機のバッテリー残量を確認するための装置及び方法を提供することにある。
【課題を解決するための手段】
【０００８】
上記目的を達成するためになされた本発明の一態様による携帯端末機のバッテリー残量を確認する装置は、携帯端末機の電源オフ状態の間に要請に応じてバッテリー残量をチェックするためのバッテリーチェック部と、バッテリー残量を確認し表示するための制御部とを有することを特徴とする。
【０００９】
上記目的を達成するためになされた本発明の一態様による携帯端末機のバッテリー残量を確認する方法は、携帯端末機の電源オフ状態の間に所定のキーが入力されると、バッテリー残量表示モードに転換するステップと、バッテリー残量表示モードの間にバッテリー残量を確認し表示するステップとを有することを特徴とする。
【発明の効果】
【００１０】
本発明による携帯端末機のバッテリー残量を確認する装置及び方法によれば、電源オフモードの間に、ユーザが携帯端末機をブーティングさせることなくバッテリー残量を容易に確認することができる。
【図面の簡単な説明】
【００１１】
【図１】本発明の一実施形態による携帯端末機の構成を示すブロック図である。
【図２】本発明の一実施形態による携帯端末機でのバッテリー残量を確認する動作を説明するためのフローチャートである。
【図３】本発明の一実施形態による携帯端末機でのバッテリー残量の表示を説明するための図である。
【発明を実施するための形態】
【００１２】
以下、本発明を実施するための形態の具体例を、図面を参照しながら詳細に説明する。下記の説明において、明瞭性と簡潔性の観点から、本発明に関連した公知の機能や構成に関する具体的な説明が本発明の要旨を不明瞭にすると判断される場合には、その詳細な説明を省略する。
【００１３】
図１は、本発明の一実施形態による携帯端末機の構成を示すブロック図である。
図１を参照すると、無線周波数（ＲＦ）部１２３は、携帯端末機の無線通信機能を実行する。
ＲＦ部１２３は、送信信号の周波数をアップコンバーティングし、該アップコンバーティングされた送信信号を増幅するＲＦ送信器と、受信した信号を低雑音増幅し、該低雑音増幅された信号の周波数をダウンコンバーティングするＲＦ受信器とを含む。
【００１４】
データ処理部１２０は、送信信号の符号化及び変調を行う送信器及びこの受信された信号の復調及び復号化を行う受信器と、を含む。すなわち、データ処理部１２０は、モデム（ＭＯＤＥＭ）及びコーデック（ＣＯＤＥＣ）を含むことができる。ここで、コーデックは、パケットデータを処理するデータコーデックと音声等のオーディオ信号を処理するオーディオコーデックとを含む。
【００１５】
オーディオ処理部１２５は、データ処理部１２０のオーディオコーデックから出力された受信オーディオ信号を再生するか又はマイクロフォンから発生した送信オーディオ信号をデータ処理部１２０のオーディオコーデックに送信する機能を実行する。
メモリ１３０は、プログラムメモリとデータメモリとを含むことができる。プログラムメモリは、携帯端末機の一般的な動作を制御するためのプログラム及び携帯端末機をブーティングさせなくても携帯端末機のバッテリー電源を確認することができるプログラムを保存することができる。
【００１６】
キーパッド１２７は、数字及び文字情報を入力するためのキーと各種機能を設定するための機能キーとを含む。
また、キーパッド１２７は、携帯端末機の電源オフ状態でバッテリー残量表示モードに転換するための所定のキーと電源キーとをさらに含む。
所定のキーは、ホームキー、ボリュームキー、又はキャプチャキー等の携帯端末機にすでに備えられている既存のキーか又は個別に備えられたキーを用いることができる。
【００１７】
制御部１１０は、携帯端末機の全般的な動作を制御する。
携帯端末機の電源オフ状態で所定のキーが入力される間に、制御部１１０は、バッテリー残量表示モードに進入する。
バッテリー残量表示モードにおいて、制御部１１０は、バッテリー残量をチェックするためのバッテリーチェック部１７０及びバッテリー残量を表示する表示部１６０だけを活性化するように制御する。
制御部１１０は、本発明の実施形態において、バッテリー残量表示モードでバッテリー残量を表示部１６０上に表示するためのユーザインターフェース（ＵＩ）機能を有する。
【００１８】
また、制御部１１０は、本発明の実施形態に従ってバッテリー残量表示モードでバッテリー残量をチェックするためのバッテリーチェック機能を有することが好ましい。この場合に、バッテリーチェック部１７０は、携帯端末機に備えられている必要はない。
【００１９】
携帯端末機の電源オフ状態で所定のキーが入力されている間に電源キーが入力された時、バッテリーチェック部１７０は、バッテリー部１８０のバッテリー残量をチェックし、バッテリー部１８０は、電源を携帯端末機に供給する。電源キーの入力なしに、所定のキーの入力だけで携帯端末機の電源をオンさせると、バッテリーチェック部及び表示部だけを活性化することができる。
また、電源キー及び所定のキーが同時に入力された時、携帯端末機は、電源キーの入力により電源をオンさせ、所定のキーの入力によってバッテリーチェック部及び表示部だけを活性化することができる。
【００２０】
カメラ部１４０は、映像データを撮影し、撮影された光信号を電気信号に変換するカメラセンサーと、カメラセンサーを介して撮影されたアナログ映像信号をデジタルデータに変換する信号処理部とを含む。ここで、カメラセンサーは、電荷結合素子（Ｃｈａｒｇｅ  Ｃｏｕｐｌｅｄ  Ｄｅｖｉｃｅ：ＣＣＤ）又は相補型金属酸化膜半導体（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）センサーとし、信号処理部は、デジタル信号処理部（Ｄｉｇｉｔａｌ  Ｓｉｇｎａｌ  Ｐｒｏｃｅｓｓｏｒ：ＤＳＰ）として構成することができる。
また、カメラセンサー及び信号処理部は、１つの装置に組み込まれるかまたは個別に構成され得る。
【００２１】
映像処理部１５０は、カメラ部１４０から受信される映像信号を表示部１６０上に表示するための映像信号処理（Ｉｍａｇｅ  Ｓｉｇｎａｌ  Ｐｒｏｃｅｓｓｉｎｇ：ＩＳＰ）を実行する。好ましくは、ＩＳＰは、ガンマ補正、補間、空間的変化、イメージ効果、イメージスケーリング、オートホワイトバランス（Ａｕｔｏ  Ｗｈｉｔｅ  Ｂａｌａｎｃｅ：ＡＷＢ）、自動露出（Ａｕｔｏ  Ｅｘｐｏｓｕｒｅ：ＡＥ）、自動焦点（Ａｕｔｏ  Ｆｏｃｕｓ：ＡＦ）などのような機能を処理する。
映像処理部１５０は、カメラ部１４０から受信される映像信号をフレーム単位で処理し、表示部１６０の特性及びサイズに従ってフレーム映像データを出力する。
【００２２】
好ましくは、映像処理部１５０は、映像コーデック（ＣＯＤＥＣ）を含み、表示部１６０上に表示されるフレーム映像データを所定の方式で圧縮するか又は圧縮されたフレーム映像データを元来のフレーム映像データに復元する機能を実行する。
ここで、映像コーデックは、ＪＰＥＧコーデック、ＭＰＥＧ４コーデック、ウェーブレット（Ｗａｖｅｌｅｔ）コーデックとすることができる。
映像処理部１５０は、オンスクリーンディスプレー（Ｏｎ  Ｓｃｒｅｅｎ  Ｄｉｓｐｌａｙ：ＯＳＤ）機能を備えるようにし、制御部１１０の制御の下に表示される画面のサイズに従ってオンスクリーンディスプレーデータを出力することができる。
【００２３】
表示部１６０は、映像処理部１５０から受信した映像信号を画面上に表示し、制御部１１０から受信したユーザデータを表示する。
ここで、表示部１６０は、ＬＣＤ（Ｌｉｑｕｉｄ  Ｃｒｙｓｔａｌ  Ｄｉｓｐｌａｙ）で構成することができる。この場合に、表示部１６０は、ＬＣＤ制御部、映像データを記憶するためのメモリ、及びＬＣＤ素子などを含むことができる。また、ＬＣＤがタッチスクリーン（ｔｏｕｃｈ  ｓｃｒｅｅｎ）方式で構成される場合に、表示部１６０は入力部として機能することができる。したがって、表示部１６０は、キーパッド１２７のような同一のキーを表示することができる。
【００２４】
本発明の実施形態において、表示部１６０は、バッテリー残量表示モードの間にバッテリー残量時間を表示する。
表示部１６０は、バッテリー残量表示モードでバッテリー残量表示とともにブーティングモードに転換するためのブーティングメニュー及び携帯端末機の電源をオフにするための終了メニューをさらに表示することができる。
【００２５】
表示部１６０がタッチスクリーン（ｔｏｕｃｈ  ｓｃｒｅｅｎ）方式で動作する場合に、ユーザは、表示部１６０をタッチすることによりブーティングメニュー又は終了メニューを選択することができる。一方、表示部１６０がタッチスクリーン方式で動作しない場合に、制御部１１０は、キーパッド１２７を活性化することによりブーティングメニュー又は終了メニューの選択を制御することができる。
【００２６】
携帯端末機でバッテリー残量を確認し表示する動作について、図２及び図３を参照して詳細に説明する。
図２は、本発明の一実施形態による携帯端末機でバッテリー残量を確認する動作を説明するためのフローチャートである。
図２を参照すると、携帯端末機は、ステップ２０１で電源オフ状態にある。ステップ２０２で、所定のキーが電源オフ状態で入力されている間に電源キーが入力されると、制御部１１０は、ステップ２０３で、バッテリー残量表示モードに転換する。
【００２７】
バッテリー残量表示モードにおいて、制御部１１０は、バッテリー残量をチェックするためのバッテリーチェック部１７０とバッテリー残量を表示するための表示部１６０だけを活性化するように制御する。
ステップ２０４で、この活性化されたバッテリーチェック部１７０は、現在のバッテリー残量をチェックし、チェックされたバッテリー残量に関する情報を制御部１１０に送信する。
【００２８】
現在のバッテリー残量に関する情報を受信すると、ステップ２０５で、制御部１１０は、この活性化された表示部１６０を制御することによりバッテリー残量を表示する。
具体的に、制御部１１０は、様々な方法で、例えば、表示部１６０上にバッテリーバー又は数値のような形態でバッテリー残量を表示することができる。
制御部１１０は、表示部１６０上に表示するバッテリー残量とともにブーティングモードに転換するためのブーティングメニュー及び携帯端末機の電源をオフするための終了メニューをさらに表示することができる。
【００２９】
ステップ２０６で、表示部１６０上のブーティングメニューがタッチにより選択されると、制御部１１０は、ステップ２０７で、携帯端末機をブーティングモードに転換する。一方、ステップ２０８で、表示部１６０上の終了メニューがタッチにより選択されると、制御部１１０は、ステップ２０９で携帯端末機の電源をオフにする。
【００３０】
図３は、本発明の実施形態による携帯端末機でバッテリー残量表示を説明するための図である。
図３を参照すると、現在のバッテリー残量は、表示部１６０上のバッテリーバーで表示される。該バッテリーバーとともに、ブーティングモードに進入するためのブーティングメニュー及び携帯端末機の電源をオフするための終了メニューも表示される。
【００３１】
図２に示す動作により、ユーザは、携帯端末機をブーティングさせない状態でも現在のバッテリー残量を確認することができる。
また、ユーザが複数のバッテリーを有している場合に、現在のバッテリー残量を確認した後に、終了メニューを選択することにより携帯端末機の電源をオフさせることができる。また、ユーザは、他のバッテリーを携帯端末機に装着した後に図２の動作によって装着されたバッテリー残量を容易に確認することができる。
一方、現在のバッテリー残量を確認した後に、ユーザは、ブーティングメニューの選択を通して携帯端末機の電源をオンさせることにより、携帯端末機をブーティングモードに即座に転換することができる。
【００３２】
本発明の一実施形態による上述の方法は、リモート記録媒体又は非一時的な機械可読媒体上に記憶され、ローカル記録媒体上に元来記憶されたネットワークを介してダウンロードされたＣＤ  ＲＯＭ、ＲＡＭ、フロッピー（登録商標）ディスク、ハードディスク、又は光磁気ディスク、又はコンピュータコードのような記録媒体に格納することができるハードウェア、ファームウェア、ソフトウェア、又はコンピュータコードで実現することができ、これにより、ここで説明した方法は、ＡＳＩＣ又はＦＰＧＡのような一般的な用途のコンピュータ、又は特定のプロセッサ、又はプログラム可能な又は指示されたハードウェアを用いて記録媒体上に格納するソフトウェアにより実行することができる。
【００３３】
コンピュータ、プロセッサ、マイクロプロセッサ制御部又はプログラム可能なハードウェアは、コンピュータ、プロセッサ、又はハードウェアによりアクセスされ実行される際に、ここで説明した処理方法を実行するソフトウェア又はコンピュータコードを格納するか又は受信するメモリ構成要素、例えば、ＲＡＭ、ＲＯＭ、フラッシュなどを含む。
また、一般的な用途のコンピュータがここで説明した処理を実行するためのコードにアクセスする時に、コードの実行は、一般的な用途のコンピュータをここで説明した処理を実行するための特殊な用途のコンピュータに変えることができる。
【００３４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【００３５】
１１０    制御部
１２０    データ処理部
１２３    無線周波数部（ＲＦ部）
１２５    オーディオ処理部
１２７    キーパッド
１３０    メモリ
１４０    カメラ部
１５０    映像処理部
１６０    表示部
１７０    バッテリーチェック部
１８０    バッテリー部
【図１】
0005951297.tif 000002
【図２】
0005951297.tif 000003
【図３】
0005951297.tif 000004